(57)【要約】【課題】車両などの移動体に搭載されても設定変更が煩雑でなく、さらに地域が移動しても良好な動作状態を継続することができる記録媒体再生装置、記録媒体再生方法を提供する。【解決手段】カーナビゲーションシステム１のＤＶＤドライブ５の制御シーケンスを選択するために、ＧＰＳ受信部１０が受信した電波から現在位置の緯度および経度を取得して、その緯度および経度と、過去に使用した制御シーケンスの履歴を記録した特殊地域使用履歴と、に基づいて特殊地域データベース３ａから最適な制御シーケンスを選択する。【選択図】図３
2009259328.tif 000002
【特許請求の範囲】
【請求項１】
移動体に搭載され、記録媒体の搬送および読み出しを行う機構部と、所定の制御シーケンスで前記機構部の動作制御を行う制御手段と、を備えた記録媒体再生装置において、
前記移動体の現在位置に関する位置情報を取得する現在位置取得手段と、
予め複数の地域ごとにそれぞれ前記所定の制御シーケンスを設定したデータベースと、
前記制御手段が過去に使用した前記所定の制御シーケンスの履歴を保存する履歴保存手段と、
を備え、
前記制御手段が、前記現在位置取得手段が取得した前記位置情報と、前記履歴保存手段に保存されている過去に使用した前記制御シーケンスの履歴に基づいて、前記データベースから最適な制御シーケンスを選択するように構成されている
ことを特徴とする記録媒体再生装置。
【請求項２】
前記データベースに設定されている前記所定の制御シーケンスが、地域ごとの気候条件に基づいて設定したものであることを特徴とする請求項１に記載の記録媒体再生装置。
【請求項３】
前記データベースに予め複数の地域ごとにそれぞれ設定する前記所定の制御シーケンスが、高温多湿の地域に対応した制御シーケンスと、極寒の地域に対応した制御シーケンスと、塵埃の多い地域に対応した制御シーケンスと、を少なくとも含むことを特徴とする請求項２に記載の記録媒体再生装置。
【請求項４】
前記現在位置取得手段が、グローバルポジショニングシステム（ＧＰＳ）により前記位置情報として緯度と経度を取得することを特徴とする請求項１乃至３のうちいずれか一項に記載の記録媒体再生装置。
【請求項５】
移動体に搭載され、記録媒体の搬送および読み出しを行う機構部を所定の制御シーケンスで動作制御を行う記録媒体再生方法において、
過去に使用した前記所定の制御シーケンスの履歴を保存しておき、前記移動体の現在位置に関する位置情報を取得し、その位置情報と、過去に使用した前記所定の制御シーケンスの履歴と、に基づいて予め複数の地域ごとにそれぞれ前記所定の制御シーケンスを設定したデータベースから最適な制御シーケンスを選択することを特徴とする記録媒体再生方法。
【発明の詳細な説明】
【技術分野】
【０００１】
本発明は、記録媒体を再生する記録媒体再生装置、記録媒体再生方法に関する。
【背景技術】
【０００２】
車両などの移動体に搭載されるＣＤ（Compact Disc）プレーヤなどの記録媒体再生装置において、装置内部のＣＤを搬送する機構やＣＤを回転させる機構および光ピックアップなどの機構部分は、外気温などの地域の気候条件の影響を受けやすいために、温度センサを搭載して、その温度センサが検出した温度に応じて、メカニカル機構部分の動作電圧の変更やウォームアップの有無などのメカニカル機構部分の動作を規定した制御シーケンスを変更していた。
【０００３】
また、それらの機構部分は、例えば塵埃が多いなど予め過酷な気候条件の地域で使用されることが想定される場合、製品出荷時にその地域に合った制御シーケンスを設定することも行われていた。
【０００４】
しかしながら、移動体に搭載される機器の場合、製品出荷時に設定した地域外に移動する可能性が高くなる。外気温であれば温度センサによって制御シーケンスの変更は可能であるが、塵埃が多いか少ないかを検出するのは限られたスペースでは困難な場合がある。
【０００５】
このような問題に対して例えば特許文献１に記載の液体噴射装置の考え方を適用することが挙げられる。特許文献１に記載の液体噴射装置は、複数の地域の気候条件が考慮された回復動作テーブルを用意し、使用者などが設置地域を設定して、その設定された設置地域に対応する回復動作テーブルでインクジェット式記録装置を動作させている。
【特許文献１】特開２００５−２６２６４９号公報
【発明の開示】
【発明が解決しようとする課題】
【０００６】
特許文献１に記載された液体噴射装置は、設置地域の設定を使用者などが設定しなければならず、移動体のように頻繁に地域を移動する可能性が高い場合は、設定変更の回数が増え煩雑になる。
【０００７】
さらに、特許文献１に記載された液体噴射装置は、設置地域が移動しても移動した地域の回復動作テーブルを使用するのみであり、例えば塵埃が多い地域から少ない地域に移動した場合は、その後も塵埃が多い地域で付着した塵埃が残留している可能性があり、また高温多湿の地域で使用していた場合は、機構部分に錆など常温下で使用しているときよりも劣化が進行している可能性がある。したがって地域が移動したからといって移動先の気候条件に合った設定に変更しただけでは動作に支障が出る可能性がある。
【０００８】
そこで、本発明は、例えば車両などの移動体に搭載されても設定変更が煩雑でなく、さらに地域が移動しても良好な動作状態を継続することができる記録媒体再生装置、記録媒体再生方法を提供することを課題とする。
【課題を解決するための手段】
【０００９】
上記課題を解決するために、請求項１に記載の記録媒体再生装置は、移動体に搭載され、記録媒体の搬送および読み出しを行う機構部と、所定の制御シーケンスで前記機構部の動作制御を行う制御手段と、を備えた記録媒体再生装置において、前記移動体の現在位置に関する位置情報を取得する現在位置取得手段と、予め複数の地域ごとにそれぞれ前記所定の制御シーケンスを設定したデータベースと、前記制御手段が過去に使用した前記所定の制御シーケンスの履歴を保存する履歴保存手段と、を備え、前記制御手段が、前記現在位置取得手段が取得した前記位置情報と、前記履歴保存手段に保存されている過去に使用した前記制御シーケンスの履歴に基づいて、前記データベースから最適な制御シーケンスを選択するように構成されていることを特徴としている。
【００１０】
請求項５に記載の記録媒体再生方法は、移動体に搭載され、記録媒体の搬送および読み出しを行う機構部を所定の制御シーケンスで動作制御を行う記録媒体再生方法において、過去に使用した前記所定の制御シーケンスの履歴を保存しておき、前記移動体の現在位置に関する位置情報を取得し、その位置情報と、前記所定の制御シーケンスの履歴と、に基づいて予め複数の地域ごとにそれぞれ前記所定の制御シーケンスを設定したデータベースから最適な制御シーケンスを選択することを特徴としている。
【発明を実施するための最良の形態】
【００１１】
以下、本発明の一実施形態にかかる記録媒体再生装置を説明する。本発明の一実施形態にかかる記録媒体再生装置は、制御手段が、現在位置取得手段が取得した外部から移動体の現在位置に関する位置情報と、履歴保存手段に保存されている過去に使用した制御シーケンスの履歴に基づいて、予め複数の地域ごとにそれぞれ所定の制御シーケンスを設定したデータベースから最適な制御シーケンスを選択するので、過去に使用したシーケンスを考慮して現在地域に適用するシーケンスを選択することから、塵埃が多い地域から少ない地域に移動した場合や高温多湿の地域から他の地域に移動した場合などにおいても単純に現在地に基づいて切り替えるよりも良好な動作状態を継続させることができる。また、現在位置取得手段で、現在位置する地域を取得しているので、使用者等が現在位置を手動で入力する必要が無く、地域の移動が頻繁な移動体には好適である。
【００１２】
また、データベースに設定されている複数の制御シーケンスを、地域ごとの気候条件に基づいて設定してもよい。このようにすることにより、様々な気候条件に対応した制御シーケンスで機構部を動作させることができる。
【００１３】
また、データベースに予め複数の地域ごとにそれぞれ設定する所定の制御シーケンスが、高温多湿の地域に対応した制御シーケンスと、極寒の地域に対応した制御シーケンスと、塵埃の多い地域に対応した制御シーケンスと、を少なくとも含んでもよい。このようにすることにより、これらの地域に合わせた設定を出荷前に行う必要がなくなる。
【００１４】
また、現在位置取得手段が、グローバルポジショニングシステム（ＧＰＳ）により前記位置情報として緯度と経度を取得してもよい。このようにすることにより、現在多く用いられているＧＰＳを利用できるので、移動体自身がＧＰＳを搭載していればそれを流用することもでき、さらに、外部ＧＰＳ受信機なども容易に入手できるために、高精度な緯度および経度の情報が容易に入手できる。
【００１５】
また、本発明の一実施形態にかかる記録媒体再生方法は、移動体の現在位置に関する位置情報を取得し、過去に使用した制御シーケンスの履歴に基づいて、予め複数の地域ごとにそれぞれ所定の制御シーケンスを設定したデータベースから最適な制御シーケンスを選択するので、過去に使用したシーケンスを考慮して現在地域に適用するシーケンスを選択することから、塵埃が多い地域から少ない地域に移動した場合や高温多湿の地域から移動した場合などにおいても単純に現在地に基づいて切り替えるよりも良好な動作状態を継続することができる。また、現在位置する地域を取得しているので、使用者等が手動で入力する必要が無く、地域の移動が頻繁な移動体には好適である。
【実施例】
【００１６】
本発明の一実施例にかかる記録媒体再生装置としてのカーナビゲーションシステム１を図１乃至図５を参照して説明する。本発明の一実施例にかかるカーナビゲーションシステム１は図１に示すように、ＣＰＵ２と、ＲＯＭ３と、ＲＡＭ４と、ＤＶＤドライブ５と、操作部６と、音声処理部７と、スピーカ８と、走行センサ９と、ＧＰＳ受信部１０と、インタフェース１１と、表示制御部１２と、ディスプレイ１３と、ハードディスクドライブ１４と、を備え、移動体としての車両に搭載され、走行センサ９とＧＰＳ受信部１０から取得した現在位置をＤＶＤ−ＲＯＭ（Digital Versatile Disc - Read Only Memory）１５に記録されている地図情報と照合してディスプレイ１３に表示したり目的地までの案内を行う装置である。
【００１７】
制御手段としてのＣＰＵ２は、カーナビゲーションシステム１全体の動作を制御する。ＣＰＵ２は、カーナビゲーションシステム１の各構成要素と接続され、ＲＯＭ３に格納される制御プログラムを読み出して実行し、ＲＡＭ４に処理中のデータを一時的に保持する。ＣＰＵ２は、本実施例においては特に、ＤＶＤドライブ５の制御シーケンスの切り替えも行う。
【００１８】
ＲＯＭ３は、上述したようにＣＰＵ２で実行される制御プログラムが格納されている。ＲＡＭ４も、上述したようにＣＰＵ２が処理中のデータを一時的に保持する。
【００１９】
機構部としてのＤＶＤドライブ５は、地図データを記憶するＤＶＤ−ＲＯＭ１５を装着して、この地図データの読み出し動作を行う。ＤＶＤ−ＲＯＭ１５は、片面１層で４．７Ｇバイト、片面２層で８．５Ｇバイトの大記憶容量の記録媒体であり、ディスク上に記録データに対応したピットが形成されており、ＤＶＤドライブ５のピックアップ５ｅを用いて記録データが読み出される。
【００２０】
ＤＶＤドライブ５の平面図を図２に示す。ＤＶＤドライブ５は、シャーシ５ａと、ターンテーブル５ｂと、スピンドルモータ５ｃと、ガイドレール５ｄと、ピックアップ５ｅと、リードスクリュー５ｆと、キャリッジモータ５ｇと、噛合部材５ｈと、搬送ローラ５ｉと、歯車５ｊと、歯車５ｋと、ウォームホイール５ｌと、ウォーム５ｍと、ローディング・イジェクトモータ５ｎと、を備えている。
【００２１】
シャーシ５ａは、平面状の板金で構成され、後述する各構成部材や図示しない電子回路基板などが設けられている。
【００２２】
ターンテーブル５ｂは、シャーシ５ａの略中央に設けられ、ＤＶＤ−ＲＯＭ１５が載置されて図示しない固定部材によりＤＶＤ−ＲＯＭ１５をクランプする。
【００２３】
スピンドルモータ５ｃは、ターンテーブル５ｂに接続されており、ターンテーブル５ｂを回転されることで、ＤＶＤ−ＲＯＭ１５を回転駆動させる。
【００２４】
ガイドレール５ｄは、２本がターンテーブル５ｂの半径方向（ＤＶＤ−ＲＯＭ１５の径方向）に延在している。２本のガイドレール５ｄは互いに所定間隔を空けて平行にシャーシ２ａに取り付けられて後述するピックアップ５ｅがＤＶＤ−ＲＯＭ１５の径方向に移動するためのガイドをする。
【００２５】
ピックアップ５ｅは、ＤＶＤ−ＲＯＭ１５に照射するレーザ光を発生させるレーザダイオードや、ＤＶＤ−ＲＯＭ１５上にレーザダイオードからのレーザ光を照射するための対物レンズ、対物レンズをフォーカス方向やトラッキング方向に駆動するためのアクチュエータ、ＤＶＤ−ＲＯＭ１５から反射された反射光を受ける受光器や、レーザ光を対物レンズへ導いたり反射光を受光器へ導く光学系などを備え、受光器の出力からＤＶＤ−ＲＯＭ１５に記録されている地図データなどを含むＲＦ信号などを生成し出力する。
【００２６】
リードスクリュー５ｆは、ガイドレール５ｄに対して平行に設けられ、その軸芯回りに回転可能となってシャーシ２ａに取り付けられている。リードスクリュー５ｆの外面にはネジ溝が形成されており、そのネジ溝には後述する噛合部材５ｈが噛み合っている。このリードスクリュー５ｆはキャリッジモータ５ｇに直結している。
【００２７】
キャリッジモータ５ｇは、リードスクリュー５ｆを回転させ、ピックアップ５ｅをＤＶＤ−ＲＯＭ１５の径方向に移動させる。キャリッジモータ５ｇは、シャーシ２ａに取り付けられている。
【００２８】
噛合部材５ｈは、ピックアップ５ｅの一端に設けられ、上述したように、リードスクリュー５ｆと噛み合っている。
【００２９】
搬送ローラ５ｉは、表面がゴムで形成されたローラであって、図２の左右方向を軸方向とし、搬送ローラ５ｉがその軸回りに回転可能となるようにシャーシ２ａに設けられている。搬送ローラ５ｉは後述するローディング・イジェクトモータ５ｎによって回転駆動され、ＤＶＤ−ＲＯＭ１５をターンテーブル５ｂまで搬送したりターンテーブル５ｂから外部へ排出したりする。
【００３０】
歯車５ｊは、搬送ローラ５ｉの左端部に固定されている。歯車５ｋは、歯車５ｊに噛み合っている。ウォームホイール５ｌは、ウォーム５ｍに噛み合っている。そして、このウォーム５ｍは、ローディング・イジェクトモータ５ｎに直結している。このローディング・イジェクトモータ５ｎはシャーシ２ａに取り付けられている。
【００３１】
操作部６は、カーナビゲーションシステム１における所望の操作を行うための各種キーや各種ボタンが配列されて構成され、カーナビゲーションシステム１の本体部あるいは外部のリモコンに設けられる。これらの各種キーや各種ボタンが押下されると、対応する検知信号がＣＰＵ２に送出される。
【００３２】
音声処理部７は、所定の音声信号を発生する。音声処理部７において適切なレベルに増幅された音声信号は、スピーカ８から外部出力される。このような音声信号としては、例えば、車両を目的地まで誘導するための案内音声がある。
【００３３】
現在位置取得手段としての走行センサ９は、現在位置に関する位置情報を取得するために必要な各種センサを含んで構成されている。具体的には、車両の走行状態を検出するための車速センサ、走行距離センサ、方位センサなどである。
【００３４】
同じく現在位置取得手段としてのＧＰＳ受信部１０は、ＧＰＳ衛星からの電波を受信し、測位データ（緯度、経度および高度といった位置情報）を出力する。
【００３５】
インタフェース１１は、走行センサ９及びＧＰＳ受信部１０とＣＰＵ２との間のインタフェース動作を行う。つまり、走行センサ９で検出した各センサの検出値と、ＧＰＳ受信部１０が受信した緯度、経度および高度の位置情報をＣＰＵ２に出力する。
【００３６】
表示制御部１２は、ディスプレイ１３に表示する表示データを生成し、適宜のタイミングでディスプレイ１３に出力する。
【００３７】
ディスプレイ１３は、例えば液晶表示素子などから構成される。ディスプレイ１３には、表示制御部１２の制御に従って地図データが種々の態様で表示されると共に、これに重畳して現在位置がアイコンなどとして表示される。また、ディスプレイ１３には、操作や設定などのための選択メニューも表示される。
【００３８】
履歴保存手段としてのハードディスクドライブ１４は、後述するＤＶＤドライブ５の制御シーケンスの履歴を保存する不揮発性の記録媒体である。また、ハードディスクドライブ１４は、ＣＰＵ２で処理中のデータおよびＣＰＵ２で実行するアプリケーションも記録する。さらに、ハードディスクドライブ１４にＤＶＤ−ＲＯＭ１５とともに地図データを記録してもよい。
【００３９】
次に、上述したカーナビゲーションシステム１のＤＶＤドライブ５における制御シーケンスの選択動作について図３のフローチャートを参照して説明する。図３のフローチャートはＣＰＵ２で実行される。
【００４０】
制御シーケンスとは、ＤＶＤドライブ５の駆動電圧や駆動方法などを規定したものである。具体的には、高温多湿の地域に対応した制御シーケンスであれば、熱帯雨林地方などにおいて、常に高温多湿であることを想定したモードで、メカニズム（機構部）の動作耐久性能の劣化が加速されるため、それを防ぐために動作電圧を通常より低くする等といった制御を行う。極寒の地域に対応した制御シーケンスであれば、北極圏内などにおいて、常に氷点下のような低温であることを想定したモードで、動作前にモータの空動作をさせてウォームアップさせる、動作指令がなくても一定時間おきに動作させる等といった制御を行う。塵埃の多い地域に対応した制御シーケンスであれば、砂漠地帯等において、塵埃がメカニズム（機構部）に入り込むことを想定したモードで、搬送ローラ５ｉでＤＶＤ−ＲＯＭ１５を搬送する構成の場合は、搬送時間を通常よりも長くする、ピックアップ５ｅの対物レンズを空で振動させて砂を振り払う等といった制御を行う。
【００４１】
つまり機構部とは、ＤＶＤドライブ５のうち特に、搬送ローラ５ｉや搬送ローラ５ｉを回転駆動するためのローディング・イジェクトモータ５ｎおよび歯車５ｊ、歯車５ｋ、ウォームホイール５ｌ、ウォーム５ｍなどのＤＶＤ−ＲＯＭ１５を搬送する機構や、ターンテーブル５ｂ、スピンドルモータ５ｃなどのＤＶＤ−ＲＯＭ１５を回転させる機構や、キャリッジモータ５ｇ、リードスクリュー５ｆなどのピックアップ５ｅを移動させる機構およびピックアップ５ｅ内のアクチュエータなどの記録媒体を搬送、回転、読み出しに関わる可動機構およびその駆動源であるモータなどを示している。
【００４２】
まず、ステップＳ１において、ＣＰＵ２は、走行センサ９が取得する各種情報と、ＧＰＳ受信部１０が受信する緯度、経度および高度等の位置情報を取得してステップＳ２に進む。
【００４３】
次に、ステップＳ２において、ＣＰＵ２は、ステップＳ１で取得した位置情報を予めＲＯＭ３に記録した特殊地域データベース３ａと照合してステップＳ３に進む。特殊地域データベース３ａの例を図４に示す。
【００４４】
特殊地域データベース３ａは、例えば高温多湿な地域、極寒な地域、塵埃が多い地域など、比較的過酷な気候条件にある地域を緯度と経度で表して、その地域の気候条件に対応した最適な機構部の制御シーケンスを定めている。また、図４中の使用履歴は、過去に他の特殊地域でのカーナビゲーションシステム１が動作したか否かを示すものであり、○印が動作したことを示す。そして、この履歴と地域の組み合わせごとに制御シーケンスを設定している。例えば、図４の地域１を高温多湿な地域、地域２を極寒な地域、地域３を塵埃が多い地域とすると、現在位置の緯度がＡＡ〜ＢＢの間で経度がＵＵ〜ＶＶの間（高温多湿な地域）で過去に極寒な地域で動作したことがある場合は制御シーケンス２を選択させる。また、この地域と使用履歴の組み合わせにおいて、制御シーケンスは全て異ならずに重複させてもよい。
【００４５】
次に、ステップＳ３において、ステップＳ１で取得した位置情報が特殊地域データベース３ａのいずれかの特殊地域と一致したか否かを判断し、一致した場合（ＹＥＳの場合）はステップＳ４に進み、一致しない場合（ＮＯの場合）はステップＳ７に進む。
【００４６】
次に、ステップＳ４において、ステップＳ３で一致した地域番号をＣＰＵ２内部のレジスタやＲＡＭ４などに記録してステップＳ５に進む。
【００４７】
次に、ステップＳ５において、現在位置が特殊地域使用履歴に書き込まれているか否かを判断し、書き込まれている場合（ＹＥＳの場合）はステップＳ７に進み、書き込まれていない場合（ＮＯの場合）はステップＳ６に進む。特殊地域使用履歴とは、例えば図５に示すように、過去に検出した地域を履歴として記録する。この履歴は、例えばユーザにより意図的あるいはメンテナンス時などに消去するまでハードディスクドライブ１４に記録保持される。
【００４８】
次に、ステップＳ６において、現在位置を履歴として残すために地域番号をハードディスクドライブ１４の特殊地域使用履歴に書き込んで（記録して）ステップＳ７に進む。
【００４９】
次に、ステップＳ７において、現在位置以外の特殊地域での使用履歴があるか否かを特殊地域使用履歴から判断して、ある場合（ＹＥＳの場合）はステップＳ８に進み、無い場合（ＮＯの場合）はステップＳ１０に進む。
【００５０】
次に、ステップＳ８において、ステップＳ７で検出した現在位置以外の特殊地域での使用履歴に記録されている地域番号をＣＰＵ２内部のレジスタやＲＡＭ４などに記録してステップＳ９に進む。
【００５１】
次に、ステップＳ９において、ＣＰＵ２内部のレジスタやＲＡＭ４などに記録しているステップＳ４で取得した現在位置の地域番号と、ステップＳ８で取得した使用履歴の地域番号と、に基づいて特殊地域データベース３ａを検索してステップＳ１０に進む。
【００５２】
次に、ステップＳ１０において、検索した結果に基づいて最適な制御シーケンスを選択する。制御シーケンスが１の場合はステップＳ１１に進み、制御シーケンスが２の場合はステップＳ１２に進み、制御シーケンスが３の場合はステップＳ１３に進み、制御シーケンスが４の場合はステップＳ１４に進み、制御シーケンスがｎの場合はステップＳ１５に進み、そして、特殊地域情報データベースのいずれにも該当しない場合はステップＳ１６に進む。すなわち、現在位置取得手段が取得した移動体の現在位置と、履歴保存手段に保存されている過去に使用した制御シーケンスの履歴に基づいて、データベースから最適な制御シーケンスを選択している。なお、制御シーケンスの履歴に代えて、特殊地域での使用履歴を用いてもよい。すなわち、移動体の現在位置と、過去の位置情報の履歴に基づいて、データベースから最適な制御シーケンスを選択してもよい。
【００５３】
ステップＳ１１においては、制御シーケンス１で機構部を制御する。ステップＳ１２においては、制御シーケンス２で機構部を制御する。ステップＳ１３においては、制御シーケンス３で機構部を制御する。ステップＳ１４においては、制御シーケンス４で機構部を制御する。ステップＳ１５においては、制御シーケンスｎで機構部を制御する。ステップＳ１６においては、デフォルト制御シーケンスで機構部を制御する。これらのステップで使用する制御シーケンスは、地域の気候条件と制御シーケンスの履歴を考慮してそれぞれ設定されたものである。具体的には、上述のように制御シーケンス１が高温多湿の地域に対応したモード、制御シーケンス２が極寒の地域に対応したモード、制御シーケンス３が塵埃の多い地域に対応したモード、というように制御シーケンスが定められている。また、デフォルト制御シーケンスは、特殊地域でない場合の通常の制御シーケンスである。
【００５４】
本実施例によれば、ＤＶＤドライブ５の制御シーケンスを選択するために、ＧＰＳ受信部１０が受信した電波から現在位置の緯度および経度といった位置情報を取得して、その位置情報と、過去に使用した制御シーケンスの履歴を記録した特殊地域使用履歴と、に基づいて特殊地域データベース３ａから最適な制御シーケンスを選択するので、過去に使用した制御シーケンスを考慮して現在位置に最適な制御シーケンスを選択できることから、塵埃が多い地域から少ない地域に移動した場合や高温多湿の地域から移動した場合などにおいて単純に現在位置に基づいて切り替えるよりも、過去の履歴を考慮した制御シーケンスによって良好な動作状態を継続することができる。また、ＧＰＳ受信部１０で、現在位置を取得しているので、使用者等が手動で現在位置を入力する必要が無く、地域の移動が頻繁な移動体には好適となる。
【００５５】
また、特殊地域データベース３ａに設定されている複数の制御シーケンスを、ＧＰＳ受信部１０が取得する緯度および経度から導き出される地域の気候条件に基づいて設定しているので、現在地域の気候条件に対応した制御シーケンスでＤＶＤドライブ５を動作させることができる。
【００５６】
また、特殊地域データベース３ａには、高温多湿の地域に対応した制御シーケンスと、極寒の地域に対応した制御シーケンスと、塵埃の多い地域に対応した制御シーケンスと、を含んでいるので、これらの地域に合わせた設定を出荷前に行う必要がなくなる。
【００５７】
なお、上述した実施例の他に複数の記録媒体を収容できる所謂チェンジャータイプの記録媒体再生装置に適用することもできる。この場合、複数の記録媒体を格納するトレイなどの移動機構やピックアップの移動機構なども機構部に含まれる。要するに、記録媒体の挿入から、読み出し（再生）を経て、排出までに動作する歯車やカム、レバー、ローラおよびそれらを駆動するモータなどは全て機構部に含まれる。
【００５８】
また、特殊地域データベース３ａはＲＯＭ３に記録していたが、ハードディスクドライブ１４などの書き込み可能な不揮発性の記録媒体に記録することで地域や制御シーケンスの追加などのアップデートが容易になる。
【００５９】
また、記録媒体はＤＶＤ−ＲＯＭ１５に限らず、ＤＶＤ−ｖｉｄｅｏ、ＤＶＤ−Ｒ、ＤＶＤ−ＲＷ、ＤＶＤ−ＲＡＭなどの他のＤＶＤ媒体およびＣＤ、ＭＤ（Mini Disc）、ブルーレイディスクなどの記録媒体に適用することができる。
【００６０】
前述した実施例によれば、以下のカーナビゲーションシステム１、記録媒体再生方法が得られる。
【００６１】
（付記１）車両に搭載され、ＤＶＤ−ＲＯＭ１５の搬送および読み出しを行うＤＶＤドライブ５と、所定の制御シーケンスでＤＶＤドライブ５の動作制御を行うＣＰＵ２と、を備えたカーナビゲーションシステム１において、
車両の現在位置の緯度および経度を取得するＧＰＳ受信部１０と、
予め複数の地域ごとにそれぞれ所定の制御シーケンスを設定した特殊地域データベース３ａと、
ＣＰＵ２が、過去に使用した所定の制御シーケンスの履歴を保存するハードディスクドライブ１４と、
を備え、
ＣＰＵ２が、ＧＰＳ受信部１０が取得した緯度および経度と、ハードディスクドライブ１４に保存されている過去に使用した制御シーケンスの履歴に基づいて、特殊地域データベース３ａから最適な制御シーケンスを選択する
ことを特徴とするカーナビゲーションシステム１。
【００６２】
このカーナビゲーションシステム１によれば、過去に使用したシーケンスを考慮して現在地域に適用するシーケンスを選択することから、塵埃が多い地域から少ない地域に移動した場合や高温多湿の地域から移動した場合などにおいても単純に現在地に基づいて切り替えるよりも良好な動作状態を継続することができる。また、ＧＰＳ受信部１０で、現在位置する地域を取得しているので、使用者等が手動で現在位置を入力する必要が無く、地域の移動が頻繁な移動体には好適である。
【００６３】
（付記２）車両に搭載され、ＤＶＤ−ＲＯＭ１５の搬送および読み出しを行うＤＶＤドライブ５を所定の制御シーケンスで動作制御を行う記録媒体再生方法において、
過去に使用した所定の制御シーケンスの履歴を保存しておき、車両の現在位置の緯度と経度を取得し、その緯度と経度と、所定の制御シーケンスの履歴と、に基づいて予め複数の地域ごとにそれぞれ所定の制御シーケンスを設定したデータベースから最適な制御シーケンスを選択することを特徴とする記録媒体再生方法。
【００６４】
この記録媒体再生方法によれば、過去に使用したシーケンスを考慮して現在地域に適用するシーケンスを選択することから、塵埃が多い地域から少ない地域に移動した場合や高温多湿の地域から移動した場合などにおいても単純に現在地に基づいて切り替えるよりも良好な動作状態を継続することができる。また、現在位置する地域を取得しているので、使用者等が手動で現在位置を入力する必要が無く、地域の移動が頻繁な移動体には好適である。
【００６５】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００６６】
【図１】本発明の一実施例にかかるカーナビゲーションシステムのブロック図である。
【図２】図１に示されたカーナビゲーションシステムのＤＶＤドライブの平面図である。
【図３】図１に示されたカーナビゲーションシステムのＤＶＤドライブ５における制御シーケンスの選択動作を示したフローチャートである。
【図４】特殊地域データベースの例を示す説明図である。
【図５】特殊地域使用履歴の例を示す説明図である。
【符号の説明】
【００６７】
１        カーナビゲーションシステム（記録媒体再生装置）
２        ＣＰＵ（制御手段）
３ａ      特殊地域データベース（データベース）
５        ＤＶＤドライブ（機構部）
９        走行センサ（現在位置取得手段）
１０      ＧＰＳ受信部（現在位置取得手段）
１４      ハードディスクドライブ（履歴保存手段）
【図１】
2009259328.tif 000003
【図２】
2009259328.tif 000004
【図３】
2009259328.tif 000005
【図４】
2009259328.tif 000006
【図５】
2009259328.tif 000007